(57)【特許請求の範囲】
【請求項１】
先端に板状のストッパー部(431)を固着した孔付き有底の筒形カプラー(43)に先端部に圧着した圧着グリップ(42)を挿入した抜き取り鋼線(40)と、該筒形カプラー付き抜き取り鋼線(40)を中心にしてその回りに配置し、先端に圧着グリップ(32)が圧着された引張材である複数のＰＣ鋼線(30)とを、その圧着グリップ側から順次に貫通孔(211)に挿通すると共に、前記のＰＣ鋼線(30)を貫通孔(211)の壁面に所定の間隔で複数刻設した凹弧状溝(212)に離脱可能に沿わせる固定台座(21)と、前記の抜き取り鋼線(40)及びＰＣ鋼線(30)が挿通され、固定台座(21)を収納、固定し、耐荷体(11)に固着される固定台座受(20)と、複数のＰＣ鋼線(30)の中心に配置された抜き取り鋼線(40)及びその回りに配置された引張材であるＰＣ鋼線(30)のそれぞれの先端部を押圧しつつ固定台座(21)に収納される押さえ部材(22)とから構成され、前記の固定台座(21)と押さえ部材(22)によって抜き取り鋼線(40)の圧着グリップ(42)を中心にしてその回りに引張材であるＰＣ鋼線(30)の圧着グリップ(32)を配置してＰＣ鋼線(30)の圧着グリップ(32)の後端部を固定台座(21)の先端面に係止すると共にＰＣ鋼線(30)を固定台座(21)の凹弧状溝(212)に沿わせて規正してなることを特徴とする引張材であるＰＣ鋼線の固定金具。
【請求項２】
先端に板状のストッパー部(431)を固着した孔付き有底の筒形カプラー(43)に先端部に圧着した圧着グリップ(42)を挿入した抜き取り鋼線(40)と、抜き取り鋼線(40)のカプラー(43)を中心にしてその回りに先端部に圧着した圧着グリップ(32)を配置し、該圧着グリップをカプラー(43)のストッパー部(431)に当接させてなる引張材であるＰＣ鋼線(30)と、該引張材であるＰＣ鋼線(30)が挿通され、ＰＣ鋼線(30)の位置を規正すると共に、前記抜き取り鋼線(40)とＰＣ鋼線(30)を挿通する貫通孔(211)の内壁面に等間隔で複数刻設した凹弧状溝(212)に離脱可能に沿わせる固定台座(21)と、該ＰＣ鋼線(30)が挿通され、固定台座(21)を収納、固定し、耐荷体(11)に挿入して固着した固定台座受け(20)と、中心に配置された抜き取り鋼線(40)及びその回りに配置されたＰＣ鋼線(30)のそれぞれの先端部を押圧しつつ固定台座(21)に収納される冠形の押さえ部材(22)と、当該押さえ部材に被せるキャップ(23)とで構成し、該固定台座(21)と押さえ部材(22)の間において、抜き取り鋼線(40)のカプラー(43)を中心にしてその回りに引張材であるＰＣ鋼線(30)の圧着グリップ(32)を配置して引張材であるＰＣ鋼線(30)の圧着グリップ(32)の後端部を固定台座(21)の先端面に係止すると共に、該押さえ部材を被せたキャップ(23)を固定台座受(20)の端部にねじ込んで固定するように構成し、且つＰＣ鋼線(30)を固定台座(21)の凹弧状溝(212)に沿わせて規正してなることを特徴とする引張材であるＰＣ鋼線の固定金具。
【請求項３】
中央の孔付き有底の筒形カプラー(43)の回りに配置したＰＣ鋼線(30)の圧着グリップ(32)の先端面に掛止して当該カプラー(43)・抜き取り鋼線(40)の逸脱を防止し且つ圧壊可能又は押し潰し可能な板状のストッパー部(431)を筒形カプラー(43)の先端に固着した当該筒形カプラーに先端部に圧着した圧着グリップ(42)を挿入した抜き取り鋼線(40)と、該抜き取り鋼線(40)の先端に圧着された圧着グリップ(42)を中心にしてその回りに配置された先端に圧着グリップが圧着された引張材であるＰＣ鋼線(30)と、前記のＰＣ鋼線(30)が挿通される耐荷体(11)と、該ＰＣ鋼線(30)が挿通、固定され、耐荷体(11)に固着される固定金具(2)とからなり、固定金具(2)は、ＰＣ鋼線(30)が挿通され、引張材である該ＰＣ鋼線(30)の位置を規正すると共に、孔外に露出する抜き取り鋼線(40)に装着する緊張ジャッキによる当該抜き取り鋼線の抜き取りによって離脱可能にＰＣ鋼線(30)を沿わせる凹弧状溝(212)を貫通孔(211)の壁面に所定の間隔で刻設した固定台座(21)と、該ＰＣ鋼線(30)が挿通され、該固定台座(21)を収納、固定し、該耐荷体(11)に固着される固定台座受け(20)と、中心に配置された抜き取り鋼線(42)及びその回りに配置された引張材であるＰＣ鋼線(30)のそれぞれの先端部を押圧しつつ固定台座受け(20)に収納される冠形の押さえ部材(22)とで構成され、前記の固定台座(21)と冠形の押さえ部材(22)によって抜き取り鋼線(40)の圧着グリップ(42)を中心にしてその回りに引張材であるＰＣ鋼線(30)の圧着グリップ(32)を配置して引張材であるＰＣ鋼線(30)の圧着グリップの後端部を固定台座(21)の先端面に係止すると共にＰＣ鋼線(30)を固定台座(21)の凹弧状溝(212)に沿わせて規正してなることを特徴とする除去式アンカー。
【発明の詳細な説明】
【０００１】
【産業上の利用分野】
本発明は、アンカー定着体に固着されるＰＣ鋼線の固定金具、最終的には引張材であるＰＣ鋼線をアンカー定着体より撤去する除去式アンカーに関する。
【０００２】
【従来の技術】
例えば、市街地で、土留に用いるアンカーを敷地に近接して施工した場合、アンカーの使用後にアンカーの引張材などが残されていると、将来、工事の際に支障をきたすこととなる。そこで、アンカーの使用後には、これを撤去するものを除去式アンカーという。除去式アンカーには、機械的に除去するもの、力学的に除去するもの、及び化学的に除去するものがある。機械的に除去するものではアンカー体とＰＣ鋼棒をカップリングで接続し、除去時にＰＣ鋼棒を回転操作してカップリングから抜き取るものであり、力学的に除去するものでは、ＰＣ鋼線と抜き取り用のＰＣ鋼線を組み合わせて製作した引張材を使用し、除去時に緊張力を与えて抜き取り用のＰＣ鋼線を抜き取り、引張材であるＰＣ鋼線をジャッキを用いて一本ずつ引き抜くものであり、化学的に除去するものでは、あらかじめ引っ張り材の自由長部に発熱装置や爆破装置を取り付けておき、除去時にこれらの装置を作動させて引張材を破断して抜き取るものである。
【０００３】
【発明が解決しようとする課題】
前記した従来の除去式アンカーには、いずれのものでも構造が複雑でそれらの構成部品が多くかつ構造が複雑であり、しかも除去操作に手数がかかり、除去の確実性の点でも不安がある。前記したように、力学的に除去するものではＰＣ鋼線と抜き取り用のＰＣ鋼線を組み合わせて製作した引張材を使用し、除去時に緊張力を与えて抜き取り用のＰＣ鋼線を抜き取り、引張材であるＰＣ鋼線をジャッキを用いて一本ずつ引き抜くものであるので、ＰＣ鋼線を引き抜くのにジャッキが必要であり、引き抜き時間も長時間かかる。本発明は前記の問題点を解決するためになされたもので、その目的とするところは、アンカー耐力に悪影響を与えず簡易に短時間で人手で引張材であるＰＣ鋼線を除去できる、ＰＣ鋼線の固定金具、及びこれを用いた除去式アンカーを提供することにある。
【０００４】
【課題を解決するための手段】
本発明の第１は、引張材であるＰＣ鋼線の固定金具において、先端に板状のストッパー部を固着した孔付き有底の筒形カプラーに先端部に圧着した圧着グリップを挿入した抜き取り鋼線と、該圧着グリップ付き抜き取り鋼線を中心にしてその回りに配置する、先端に圧着グリップが圧着された引張材である複数のＰＣ鋼線とを、その圧着グリップ側から順次に貫通孔に挿通すると共に、前記のＰＣ鋼線を貫通孔の壁面に所定の間隔で複数刻設した凹弧状溝に離脱可能に沿わせる固定台座と、前記の抜き取り鋼線及びＰＣ鋼線が挿通され、固定台座を収納、固定し、耐荷体に固着される固定台座受と、複数のＰＣ鋼線の中心に配置された抜き取り鋼線及びその回りに配置された引張材であるＰＣ鋼線のそれぞれの先端部を押圧しつつ固定台座内に収納される押さえ部材とから構成され、前記の固定台座と押さえ部材によって抜き取り鋼線の圧着グリップを中心にしてその回りに引張材であるＰＣ鋼線の圧着グリップを配置してＰＣ鋼線の圧着グリップの後端部を固定台座の先端面に係止すると共にＰＣ鋼線を固定台座の凹弧状溝に沿わせて規正してなるものである。
【０００５】
本発明の第２は、引張材であるＰＣ鋼線の固定金具において、先端に板状のストッパー部を固着した孔付き有底の筒形カプラーに先端部に圧着した圧着グリップを挿入した抜き取り鋼線と、抜き取り鋼線のカプラーを中心にしてその回りに先端部に圧着した圧着グリップを配置し、該圧着グリップをカプラーのストッパー部に当接させてなる引張材であるＰＣ鋼線と該引張材であるＰＣ鋼線が挿通され、ＰＣ鋼線の位置を規正すると共に、前記抜き取り鋼線とＰＣ鋼線を挿通する貫通孔の内壁面に等間隔で複数刻設した凹弧状溝に離脱可能に沿わせる固定台座と、該ＰＣ鋼線が挿通され、固定台座を収納、固定し、耐荷体に挿入して固着した固定台座受けと、中心に配置された抜き取り鋼線及びその回りに配置されたＰＣ鋼線のそれぞれの先端部を押圧しつつ固定台座内に収納される冠形の押さえ部材と、キャップで構成し、該固定台座と押さえ部材の間において、抜き取り鋼線のカプラーを中心にしてその回りに引張材であるＰＣ鋼線の圧着グリップを配置して引張材であるＰＣ鋼線の圧着グリップの後端部を固定台座の先端面に係止すると共に、該押さえ部材を被せたキャップを固定台座受の端部にねじ込んで固定するように構成し、且つＰＣ鋼線を固定台座の凹弧状溝に沿わせて規正してなるものである。
【０００６】
本発明の第３は、除去式アンカーにおいて、中央の孔付き有底の筒形カプラーの回りに配置したＰＣ鋼線の圧着グリップの先端面に掛止して当該カプラー・抜き取り鋼線の逸脱を防止し且つ圧壊可能又は押し潰し可能な板状のストッパー部を筒形カプラーの先端に固着した当該筒形カプラーに先端部に圧着した圧着グリップを挿入した抜き取り鋼線と、該抜き取り鋼線の先端に圧着された圧着グリップを中心にしてその回りに配置された先端に圧着グリップが圧着された引張材であるＰＣ鋼線と、前記のＰＣ鋼線が挿通される耐荷体と、該ＰＣ鋼線が挿通、固定され、耐荷体に固着される固定金具とからなり、固定金具は、ＰＣ鋼線が挿通され、引張材である該ＰＣ鋼線の位置を規正すると共に、孔外に露出する抜き取り鋼線に装着する緊張ジャッキによる当該抜き取り鋼線の抜き取りによって離脱可能にＰＣ鋼線を沿わせる凹弧状溝を貫通孔の壁面に所定の間隔で刻設した固定台座と、該ＰＣ鋼線が挿通され、該固定台座を収納、固定し、該耐荷体に固着される固定台座受けと、中心に配置された抜き取り鋼線及びその回りに配置された引張材であるＰＣ鋼線のそれぞれの先端部を押圧しつつ固定台座受けに収納される冠形の押さえ部材とで構成され、前記の固定台座と冠形の押さえ部材によって抜き取り鋼線の圧着グリップを中心にしてその回りに引張材であるＰＣ鋼線の圧着グリップを配置して引張材であるＰＣ鋼線の圧着グリップの後端部を固定台座の先端面に係止すると共にＰＣ鋼線を固定台座の凹弧状溝に沿わせて規正してなるものである。
【０００７】
【実施例】
次に、本発明の固定金具及びそれを用いた除去式アンカーの一実施例を示す。図１１に示すように、圧着グリップ３２が引張材であるＰＣ鋼線３０のそれぞれの先端部に圧着されている。同様に、図１２に示すように、除去時に緊張力を与えて引き抜くための抜き取り用のＰＣ鋼線４０の先端部にも、圧着グリップ４２が圧着され、先端に圧壊可能な又は押し潰し可能な板状のストッパー部４３１が形成されたカプラー４３がこの圧着グリップ４２に被着されている。
【０００８】
耐荷体１１は円筒状であり、周面は粗面となっているのが望ましい。耐荷体としては、金属製、繊維強化プラスチック製などのものが用いられる。図１に示すように、引張材となるＰＣ鋼線３０及び抜き取り鋼線４０の固定金具２は、先端に圧着グリップ３２が圧着されたＰＣ鋼線３０と抜き取り鋼線４０よりなる線束Ｃが挿通され、耐荷体１１に固着される固定台座受け２０と、先端に圧着グリップ３２が圧着された引張材であるＰＣ鋼線３０と抜き取り鋼線４０よりなる線束Ｃが挿通され、前記圧着グリップの後端部を固定台座受け２０の先端面に当接させ、前記固定台座受け２０に挿入して固定される固定台座２１と、前記鋼線束の先端を押圧し、該固定台座に固着される押さえ部材２２とで構成される。
【０００９】
前記の押さえ部材２２は、円周縁のついた冠状の蓋形を成し、該押さえ部材は固定台座受け２０に収納され、ＰＣ鋼線３０の先端を押圧し、その押さえ部材２２に脚部２２２側からキャップ２３を被せて固定台座２１に固着してある。アンカー体１０は、ＰＣ鋼線３０と抜き取り鋼線４０よりなる線束Ｃと、該線束が挿通される耐荷体１１と、ＰＣ鋼線の固定金具２とより構成される。
【００１０】
図１に示すように、固定台座受け２０は、耐荷体１１の先端の雄螺子に螺合されるように、雌螺子が刻設されている。図２ないし図６に示すように、固定台座２１は、軸方向に貫通孔２１１を有し、その半径方向外方に、引張材であるＰＣ鋼線３０の位置を規正すると共に抜き取り鋼線４０の引き抜きによって引張材であるＰＣ鋼線３０が離脱し得る軸方向の凹弧状溝２１２が一体となっている。
【００１１】
図１及び図１３に示すように、押さえ部材２２が、固定台座受け２０内に収納され、次いでキャップ２３が固定台座受け２０に螺合されて、固定台座２１の先端に配置された引張材であるＰＣ鋼線３０及び抜き取り鋼線４０の先端部を押圧する。
【００１２】
図９に示すように、押さえ部材２２はＰＣ鋼線３０及び抜き取り鋼線４０、並びにそれぞれに圧着された圧着グリップ３２、及び４２又は孔付き有底の筒形カプラー４３が、固定金具２内で軸方向に移動しないように固定するものであって、引張材であるＰＣ鋼線３０及び抜き取り鋼線４０の先端部に当接するか、圧着グリップ３２及び４２又はカプラー４３の先端部に当接する円盤状の固定部２２１とキャップ２３の底部に当接する脚部２２２を有している。また、押さえ部材２２はキャップ２３内に挿入されて一体となっていて、押さえ部材２２がＰＣ鋼線３０及び抜き取り鋼線４０の先端部、又はそれぞれに圧着された圧着グリップ３２及び４２、又はカプラー４３の先端部を押さえ、引張材であるＰＣ鋼線３０及び抜き取り鋼線４０が固定金具２内で軸方向に移動しないように固定するようにしてもよい。
【００１３】
図１１、図１２に示すように、引張材であるＰＣ鋼線３０のそれぞれの先端部に圧着グリップ３２を圧着する。同様に、図１２に示すように、除去時に緊張力を与えて引き抜くための抜き取り鋼線４０の先端部に圧着グリップ４２を圧着し、先端に圧壊可能な又は押し潰し可能なストッパー部４３１を形成したカプラー４３をこの圧着グリップ４２に被着する。
【００１４】
図４に示すように、固定台座２１に抜き取り用のＰＣ鋼線４０の先端部に圧着グリップ４２を圧着し、先端に圧壊可能な又は押し潰し可能な板状のストッパー部４３１を先端に固着したカプラー４３で圧着グリップ４２を挿入被着した抜き取り鋼線４０を中心にその回りに、先端に圧着グリップ３２を圧着した、引張材であるＰＣ鋼線３０を配置した線束Ｃを挿入して、ストッパー部４３１にＰＣ鋼線３０の圧着グリップ３２を当接させるとともに圧着グリップ３２の後端部を固定台座２１の前端に係止するとともに固定台座２１の凹弧状溝２１２にＰＣ鋼線３０を沿わせ、ＰＣ鋼線３０を係止する。カプラー４３の後端にはテーパー部４３２が形成され、最終的にＰＣ鋼線３０を除去するときに、抜き取り鋼線４０をより小さな牽引力によって引き抜くことができる。
【００１５】
次いで、図１３、図１４に示すように、固定台座受け２０の一端より、抜き取り鋼線４０を中心にして、その回りにＰＣ鋼線３０を配置した線束Ｃを挿入し、固定台座２１を固定台座受け２０内に挿入して固定する。耐荷体１１の一端より抜き取り鋼線４０を中心にして、その回りにＰＣ鋼線３０を挿入し固定台座受け２０の後端を耐荷体１１の前端に螺合して固着し、押さえ面２２１が抜き取り鋼線４０及びＰＣ鋼線３０のそれぞれの前端部を押圧するように固定台座受け２０内に押さえ部材２２を挿入し、ついで押さえ部材２２の脚部２２２を押圧するようにキャップ２３を固定台座受け２０の前端に螺合して固着する。
【００１６】
このようにして、ＰＣ鋼線３０及び抜き取り鋼線４０を固定金具２に固定するとともに耐荷体１１の前端に固定台座受け２０の後端を螺合し、耐荷体１１にスペーサー１２が取り付けられて、引張材であるＰＣ鋼線３０及び抜き取り鋼線４０を最終的に除去できる除去式アンカー体１０が組み立てられる。
【００１７】
【作用】
除去式アンカー工法について説明する。
（１）定着操作
地中にアンカー孔を削孔すると共にケーシングを挿入する。一方、前記除去式アンカーにシースパイプ５を連結し、アンカー孔内に装入する。次いで耐荷体１１が埋没するまでモルタル、セメントミルクなどの固結材を注入する。固結材が固結しないうちにケーシングを引き抜きながらモルタル又はセメントミルクなどの固結材をアンカーの定着域に高圧注入する。固結材の硬化後、緊張ジャッキを配置し、孔外に露出する引張材であるＰＣ鋼線３０を緊張して定着する。
（２）引張材であるＰＣ鋼線３０の除去操作
最終的に、アンカーの使用目的を達したのち、アンカー頭部６０を取り外し、つぎに孔外に露出した抜き取り鋼線４０をジャッキによって大きな力で緊張して、その抜き取り鋼線４０の先端部に圧着した圧着グリップ４２に被着したカプラー４３先端の圧壊可能な又は押し潰し可能な板状のストッパー部４３を圧壊又は押し潰し、先端に圧着グリップ４２を圧着した抜き取り鋼線４０を固定台座２１の貫通孔２１１より抜き取る。そうすると、固定台座２１の前端に係止していた圧着グリップ３２は、係止状態が解かれてＰＣ鋼線３０が固定台座２１の凹弧状溝２１２より離脱し、引張材であるＰＣ鋼線３０を１本ずつ、あるいは数本まとめて人力又はクレーンで引き抜く。
【００１８】
【発明の効果】
従来の除去式アンカーでは、ＰＣ鋼線を１本ずつジャッキで引き抜くため、引き抜き作業に多大の時間を要するが、本発明の固定金具及びそれを用いた除去式アンカーによれば、アンカーの使用目的を達したのち、アンカー頭部を取り外し、次に孔外に露出した抜き取り鋼線をジャッキによって大きな力で緊張して、抜き取り鋼線のカプラー先端のストッパー部を圧壊又は押し潰して圧着グリップを圧着した引張材であるＰＣ鋼線の間から抜き取り鋼線を固定台座より抜き取ることによって、固定台座の前端に係止していた圧着グリップは係止状態が解かれ、且つＰＣ鋼線は固定台座の凹弧状溝より貫通孔の中心寄りに離脱することができるので、その後は引張材であるＰＣ鋼線を１本ずつ、あるいは数本まとめて人力又はクレーンで容易に引き抜くことができ、かつ引き抜き作業時間を著しく短縮することができる。
【図面の簡単な説明】
【図１】本発明の除去式アンカー体
【図２】図1のａ−ａ切断線における固定台座の縦切断断面図
【図３】図1のｂ−ｂ切断線における固定台座の横切断断面図
【図４】固定台座にＰＣ鋼線及び抜き取り錮線を係止した状態の断面図
【図５】図4の切断線５−５よりみた切断断面図
【図６】図4の切断線６−６（図1における切断線a−a）よりみた切断断面図
【図７】図1の切断線ｃ−ｃよりみた耐荷体における断面図
【図８】図1の切断線ｄ−ｄよりみたシースパイプにおける断面図
【図９】押さえ部材の断面図
【図１０】キャップの断面図
【図１１】圧着グリップを圧着したＰＣ鋼線の断面図
【図１２】圧着グリップを圧着し、その上にカプラーを被著した、抜き取り錮線の断面図
【図１３】固定台座受けに固定台座を挿入して固定金具を組み立てる状態を説明する説明図
【図１４】固定金具の組み立て説明図
【図１５】固定金具の組み立て説明図
【符号の説明】
２……固定金具
５……シースパイプ
１０……アンカー体
１１……耐荷体
１２……スペーサー
２０……固定台座受け
２１……固定台座
２２……押さえ部材
２３……キャップ
３０……引張材であるＰＣ鋼線
３２……圧着グリップ
４０……抜き取り鋼線（ＰＣ鋼線）
４２……圧着グリップ
４３……カプラー
６０……アンカーヘッド
２１１……固定台座の貫通孔
２１２……固定台座の貫通孔内に成形したＰＣ鋼線用凹弧状溝
２２１……押さえ面
２２２……脚部
４３１……ストッパー部
４３２……テーパー部
【図１】
0004089795.tif 000002
【図３】
0004089795.tif 000003
【図５】
0004089795.tif 000004
【図６】
0004089795.tif 000005
【図７】
0004089795.tif 000006
【図８】
0004089795.tif 000007
【図９】
0004089795.tif 000008
【図１０】
0004089795.tif 000009
【図１２】
0004089795.tif 000010
【図１４】
0004089795.tif 000011
【図１５】
0004089795.tif 000012
【図２】
0004089795.tif 000013
【図４】
0004089795.tif 000014
【図１１】
0004089795.tif 000015
【図１３】
0004089795.tif 000016